【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
内側チャンバー壁（１５６、１８５、２３８）によって制限され、愛想よく少なくとも第一の縦位置とチャンバーの第二の縦位置の間の前記チャンバー壁に対して可動であるために前記チャンバーの内側のアクチュエータピストンを備えていているチャンバー（１６２、１８６、２３１）を備えているピストン燃焼室組み合わせ；
１番目および第二の縦位置に異なる断面積および異なる円周長さの断面を有している前記チャンバー、１番目と第二の縦位置の間の中間縦通材位置での少なくとも、連続的に異なる断面積および円周長さ、断面積よりも小さい前記第二の縦位置での断面積および円周長さ、および前記第一の縦位置での円周長さ実質的に
１番目と、チャンバーの前記中間のｌｏｎｇｉｍｄｉｎａｌな位置を介して第二の縦位置の間のピストンの相対動作の間に前記異なる断面積に同じことを適応させるピストンの異なる断面積、円周長さおよびチャンバーの異なる円周長さに備えて、弾力的に、そのために変形可能なコンテナー（２０８’と２０８、２１７、２１７。」２２８と２２８。」２５８と２５８。」４５０と４５０」）を備えている前記アクチュエータピストン；
アクチュエータピストンはピストンの円周長さが前記第二の縦位置の前記チャンバー（１６２、１８６、２３１）の円周長さとほぼ等価なそれの、ストレスフリーおよび不具でない状態でコンテナー（２０８’と２０８、２１７、２１７。」２２８と２２８。」２５８と２５８。」４５０と４５０」）の生産サイズを有しているために作製される、前記第二の縦位置から前記第一の縦位置へアクチュエータピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー；
アクチュエータピストンの異なる断面積および円周長さに備えるのに弾力的に変形可能なコンテナー（２０８’と２０８、２１７、２１７。」２２８と２２８。」２５８と２５８。」４５０と４５０」）、事実によってそれを特徴づける；
ｏ  組み合わせは、位置からの流体を導入するための手段を備えている、外部、コンテナーは、前記コンテナーの加圧を可能にし、そのために、拡大して、前記コンテナーの中にそのために言った、コンテナーは言った；
ｏ  アクチュエータピストンの壁の平滑表面、少なくとも、そして近くであるまでｃｏｎｔｉｎｅｏｕｓｌｙに、チャンバーの壁を備えたそのコンタクト域；
第２からの、およびチャンバーの第一の縦位置への前記コンテナーをそのために置き換えること。
【請求項２】
内側チャンバー壁（１５６、１８５、２３８）によって制限され、愛想よく少なくとも第一の縦位置とチャンバーの第二の縦位置の間の前記チャンバー壁に対して可動であるために前記チャンバーの内側のアクチュエータピストンを備えていているチャンバー（１６２、１８６、２３１）を備えているピストン燃焼室組み合わせ；
１番目および第二の縦位置に異なる断面積および異なる円周長さの断面を有している前記チャンバー、１番目と第二の縦位置の間の中間縦通材位置での少なくとも、連続的に異なる断面積および円周長さ、断面積よりも小さい前記第二の縦位置での断面積および円周長さ、および前記第一のｌｏｎｇｉｍｄｉｎａｌな位置での円周長さ実質的に、
１番目と、チャンバーの前記中間縦通材位置を介して第二の縦位置の間のピストンの相対動作の間に前記異なる断面積に同じことを適応させるピストンの異なる断面積、円周長さおよびチャンバーの異なる円周長さに備えて、弾力的に、そのために変形可能なコンテナー（２０８’と２０８、２１７、２１７。」２２８と２２８。」２５８と２５８。」４５０と４５０」）を備えている前記アクチュエータピストン；
アクチュエータピストンはピストンの円周長さが前記第二の縦位置の前記チャンバー（１６２、１８６、２３１）の円周長さとほぼ等価なそれの、ストレスフリーおよび不具でない状態でコンテナー（２０８’と２０８、２１７、２１７。」２２８と２２８。」２５８と２５８。」４５０と４５０」）の生産サイズを有しているために作製される、前記第二の縦位置から前記第一の縦位置へアクチュエータピストンの相対動作の間にそれの生産サイズからのピストンの膨張に備えて、チャンバーの長手方向に関して方向にその生産サイズからｔｒａｎｓｖｅｒｓａｌｌｙに、そのために拡張可能なコンテナー；
アクチュエータピストンの異なる断面積および円周長さに備えるのに弾力的にｅｆｏｒｍａｂｌｅで、密閉空間を備えていているコンテナー；（２０８’と２０８、２１７、２１７。」２２８と２２８。」２５８と２５８。」４５０、４５０＊）
事実によってそれを特徴づける。
ｏ  組み合わせは、位置からの前記コンテナーの前記アクチュエータピストンと通信する密閉空間のボリュームを変化させるための手段を備えている、外部、コンテナーは前記コンテナーの加圧を可能にして、そのために言った、そしてそのために拡大すること、コンテナーは言った；
ｏ  アクチュエータピストンの壁の平滑表面、少なくとも、そして近くであるまでｃｏｎｔｉｎｅｏｕｓｌｙに、チャンバーの壁を備えたそのコンタクト域；
そして、そのために、第二からｈａｍｂｅｒの第一の縦位置へ前記コンテナーを置き換える。
【請求項３】
請求項１または２に記載のピストン燃焼室組み合わせ、そこで、ｓｅａｌｉｎｇｌｙに前記チャンバー壁に対して可動べき前記チャンバーの内側の、またはそのチャンバーの外側の前記アクチュエータピストン。
【請求項４】
請求項１、２または３のいずれか１項に記載のピストン燃焼室組み合わせ、そこで、前記チャンバーの一部、位置した、前記アクチュエータピストンに隣接している、チャンネル、または大気を通って互いと通信している。
【請求項５】
請求項１−４のいずれか１項によるピストン燃焼室組み合わせ（そこではチャンバーは細長い）。
【請求項６】
請求項１−４のいずれか１項によるピストン燃焼室組み合わせ（そこではチャンバーは円形である）。
【請求項７】
請求項６に記載のピストン燃焼室組み合わせ（そこではチャンバーはｃｉｒｃｌｅｒｏｕｎｄ中心軸のまわりで形成される）。
【請求項８】
請求項１−７のいずれか１項に記載のピストン燃焼室組み合わせ（そこではアクチュエータピストンは減圧され、チャンバーの壁で係合していない）。
【請求項９】
請求項８に記載のピストン燃焼室組み合わせ（そこでは第一からチャンバーの第二の縦位置へピストンは移動している）。
【請求項１０】
請求項１−７のいずれか１項に記載のピストン燃焼室の組み合わせ（そこではチャンバーの壁のｌｅｎｇｈの一部は前記チャンバーの中心軸と平行である）。
【請求項１１】
請求項１０に記載のピストン燃焼室の組み合わせ。（そこではチャンバーの前記壁はアクチュエータピストンのストロークの終わりに位置する）。
【請求項１２】
請求項１−７のいずれか１項に記載のピストン燃焼室組み合わせ。（そこではコンテナー（２０８’、２０８、２１７、２１７、２２８、２２８、２５８、２５８、４５０、４５０）は、変形可能材料（２０５、２０６）を備えていている）。
【請求項１３】
請求項１２に記載のピストン燃焼室組み合わせ（そこでは変形可能材料（２０５、２０６）は流体または水、スチームおよび／または気体または泡などの流体の混合物である）。
【請求項１４】
請求項１２または１３に記載のピストン燃焼室組み合わせ（長手方向を介して断面では、そこでは、チャンバー（１８６と２３１）の第一の縦位置に位置する場合、コンテナーは前記チャンバーの第２の縦位置に位置する場合コンテナーの第二の形とは異なる第一の形を有している）。
【請求項１５】
請求項１４に記載のピストン燃焼室組み合わせ、少なくとも変形可能材料（２０６）の一部はどこで圧縮可能か、また、第一のものがどこで形づくるか、第２のエリアよりも大きいエリアを有している、形づくる。
【請求項１６】
請求項１４に記載のピストン燃焼室組み合わせ（そこでは変形可能材料（２０６）は少なくとも、実質的に圧縮不可能である）。
【請求項１７】
請求項１−７のいずれか１項に記載のピストン燃焼室組み合わせ（そこではコンテナーは膨張式である）。
【請求項１８】
請求項１−７のいずれか１項に記載のピストン燃焼室組み合わせ、コンテナー（２０８’、２０８、２１７、２１７、２２８、２２８、２５８、２５８、４５０、４５０）は、どこで付加的に密閉空間（２１０、２４３）を備えているか、変形可能なコンテナーで共同ミリミクロンｎｉｃａｔｉｎｇすること。
【請求項１９】
請求項１８に記載のピストン燃焼室組み合わせ（そこでは第一の密閉空間（それは前記密閉空間と通信している）を通って前記コンテナーの中にコンテナーが終っていると位置外側からの流体の前記導入は言った）。
【請求項２０】
請求項１、３〜７のいずれか１項に記載のピストン燃焼室組み合わせ、前記コンテナーの短縮を可能にして、ピストンに前記コンテナーから位置へ流体をそのために移すためのさらに備えている手段。
【請求項２１】
請求項２０に記載のピストン燃焼室組み合わせ（そこでは第二の密閉空間（それは前記密閉空間と通信している）を通って流体の除去は終っている）。
【請求項２２】
請求項２−７または１８のいずれか１項に記載のピストン燃焼室組み合わせ（そこでは前記手段は前記ピストンの前記密閉空間と通信している）は、前記密閉空間のボリュームを変化させて増加することによりボリュームおよびそのために減圧する前記アクチュエータピストンを言い、それによって、前記コンテナーの短縮を可能にした。
【請求項２３】
請求項２２に記載のピストン燃焼室組み合わせ（そこではピストンは少なくとも第一から前記チャンバーの第二の縦位置へ前記チャンバー壁に対して可動である）。
【請求項２４】
請求項１−７のいずれか１項に記載のピストン燃焼室組み合わせ、（そこではコンテナー（２０８’、２０８、２１７、２１７’、２２８、２２８、２５８、２５８、４５０、４５０）の壁は、曲げることができるｒｅｉｎｆｏｒｍｅｎｔ層を備えている）
【請求項２５】
請求項１〜２４のいずれか１項に記載のピストン燃焼室組み合わせ、コンテナーの接触面およびチャンバーの壁の断面は、どこで切れっているか、長手方向での前記コンテナーの中心軸、ほぼちょうどわきに、第二の縦位置の横のコンテナーの弾力的に変形可能な壁の前記断面の中間点。
【請求項２６】
請求項２５に記載のピストン燃焼室組み合わせ、コンテナーの接触面およびチャンバーの壁の断面は、どこで切れっているか、ほぼ第二の縦位置の横のコンテナーの弾力的に変形可能な壁の前記断面の中間点の外側の長手方向での前記コンテナーの中心軸。
【請求項２７】
請求項１２、１７、２０または２２のいずれか１項に記載のピストン燃焼室組み合わせ（そこではａｃｔｕｔｏｒピストンはピストンロッド（それは前記密閉空間を備えていている）を備えていている）。
【請求項２８】
請求項２６に記載のピストン燃焼室組み合わせ（そこではピストンロッドは手段外側がチャンバーを言ったことを保証することを備えていている）。
【請求項２９】
請求項２８に記載のピストン燃焼室組み合わせ、さらにクランクを備えていることは適合させた、チャンバーの第２と第１縦位置間のピストンの運動をクランクの回転に翻訳する。
【請求項３０】
請求項２８に記載のピストン燃焼室組み合わせ（そこでは第一からピストンの第二のｌｏｎｇｉｔｕｃｉｉｎａｌな位置へクランクはその回転をピストンの移動に翻訳している）。
【請求項３１】
請求項１９、２１または２８のいずれか１項に記載のピストン燃焼室組み合わせ（そこではクランクは前記第一を備えていており、第二の密閉空間を言った）。
【請求項３２】
請求項１−７のいずれか１項に記載の組み合わせ（そこではそれの第２の縦位置の前記チャンバーの断面積は、それの第一の縦位置の前記チャンバーの断面積の９５−１５％である）。
【請求項３３】
請求項１−７のいずれか１項に記載の組み合わせ（そこではそれの第２の縦位置の前記チャンバーの断面積は、それの第一の縦位置の前記チャンバーの断面積のほぼ５０％である）。
【請求項３４】
請求項１−７のいずれか１項に記載の組み合わせ（そこではそれの第２の縦位置の前記チャンバーの断面積は、それの第一の縦位置の前記チャンバーの断面積のほぼ５％である）。
【請求項３５】
請求項１−６のいずれか１項に記載の組み合わせ、そこで、長手の凸状形状の壁を備えている前記チャンバー、第一の縦位置の近くの横断面の断面、断面が共通の境界によって互いからｕｐｄｉｖｉｄｅｄされると言った、２つの次の共通の境界の間の距離は、前記長手の壁のｈｅｉｇｔｈを定義する、横断面の断面、前記ｈｅｉｇｔｈｓは、前記チャンバーの圧力に関しての前記アクチュエータピストンの増加する過剰圧力割合によって減少している、横断面の共通の境界の横断線長さは前記アクチュエータピストンの最大仕事力によって決定される。それは前記共通の境界のための一定で選ばれる。
【請求項３６】
請求項１−６のいずれか１項に記載の組み合わせ、そこで、長手の凸状形状の壁を備えている前記チャンバー、第一の縦位置の近くの横断面の断面、断面が共通の境界によって互いからｕｐｄｉｖｉｄｅｄされる、２つの次の共通の境界の間の距離は、前記長手の壁の−ｈｅｉｇｔｈを定義する、横断面の断面、前記ｈｅｉｇｔｈｓは、第一の長手ポストイオンから第二の縦位置へ方向において減少している、横断面の共通の境界の横断線長さは前記アクチュエータピストンの最大仕事力によって決定される、どれが前記共通の境界のための一定で選ばれるか。
【請求項３７】
請求項３５または３６に記載の組み合わせ（そこでは前記チャンバーは前記チャンバーの中心軸と平行な壁をさらに備えていている）。
【請求項３８】
請求項３５−３７のいずれか１項に記載の組み合わせ（そこでは前記チャンバーはさらに凹状形状の壁を備えていている）。
【請求項３９】
請求項３８に記載の組み合わせ。（そこでは前記チャンバーは前記凸状形状の壁の間の遷移をさらに備えていており、並列の壁（そこでは前記遷移は凹状形状の壁を備えていていることがある）を言った）
【請求項４０】
緩衝装置を備えていること：
請求項１〜３９のうちのいずれか１項による組み合わせ；
―  チャンバーの外側の位置からのピストンに係合するための手段、そこで、係合は意味する、ピストンがチャンバーの第一の縦位置にある、外側位置、およびピストンが第２の縦位置にある内側位置を有している。
【請求項４１】
請求項４０に記載の緩衝装置、コンテナーと通信する密閉空間をさらに備えていること
【請求項４２】
請求項４１に記載の緩衝装置（そこでは密閉空間は可変ボリュームを有している）。
【請求項４３】
請求項４１に記載の緩衝装置（そこでは密閉空間は一定容積量を有している）。
【請求項４４】
請求項４１に記載の緩衝装置（そこでは密閉空間はａｄｊｕｓｔｉｂｌｅである）。
【請求項４５】
コンテナーおよび取り囲まれた空間形、流体（ピストンが第一からチャンバーの第２の縦位置へ移動する場合に圧縮した流体）を備えている実質的に密封したキャビティを備えた、請求項４１−４４のいずれか１項による緩衝装置。
【請求項４６】
流体（次のものを備えているポンプ）を汲むためのポンプ：
請求項１−３９のいずれか１項に記載の組み合わせ；
チャンバーの外側の位置からの第二のチャンバーの第二のピストンに係合するための手段；
第２のチャンバーに接続され、バルブを備えている−ａ流体入り口は意味する、そして；
流体出口は第２のチャンバーへ接続した。
【請求項４７】
流体（次のものを備えているポンプ）を汲むためのポンプ：
請求項１−３９のいずれか１項に記載の組み合わせ；
―  チャンバーの外側の位置からのチャンバーのピストンに係合するための手段；
チャンバーに接続され、バルブを備えている流体入り口は意味する、
流体出口はチャンバーへ接続した。
【請求項４８】
請求項４６または４７に記載のポンプ、そこで、係合は意味する、ピストンがチャンバーの第一の縦位置にある、外側位置、およびピストンがチャンバーの第２の縦位置にある内側位置を有している。
【請求項４９】
請求項４６または４７に記載のポンプ、そこで、係合は意味する、ピストンがチャンバーの第２の縦位置にある、外側位置、およびピストンがチャンバーの第一の縦位置にある内側位置を有している。
【請求項５０】
モーター、明確には自動車用エンジン中の請求項１または２に記載のピストン燃焼室組み合わせの使用。
【請求項５１】
モーター、それが備えているという事実によって特徴づけられた、請求項１によってピストン燃焼室組み合わせをここに取り付ける。
【請求項５２】
モーター、それが備えているという事実によって特徴づけられた、請求項２によってピストン燃焼室組み合わせをここに取り付ける。